(57)【要約】      （修正有）【課題】ＬＥＤを光源に用いることで、デザイン性が高く人目を引くと共に、低いランニングコストで環境問題の解決にも貢献する装飾器具を提供する。【解決手段】開示の装飾器具は、ＬＥＤ（Ｌｉｇｈｔ  Ｅｍｉｔｔｉｎｇ  Ｄｉｏｄｅ）による光源と、前記ＬＥＤによる光源から出た光を透過させる光透過部材と、前記ＬＥＤによる光源から出た光を通過させる任意の模様の彫刻が施された装飾部材とを有し、前記ＬＥＤによる光源の周囲に前記光透過部材と前記装飾部材とを配置すると共に、該光透過部材を透過し、かつ、該装飾部材を通過した前記ＬＥＤによる光源から出た光を発することを特徴とする。また、開示の装飾器具の一形態は、門柱表面に設置されても良い。また、開示の装飾器具の一形態は、前記任意の模様の一部が、住宅居住者の名を記した標札であっても良い。【選択図】図１
0003172533.tif 000002
【実用新案登録請求の範囲】
【請求項１】
ＬＥＤ（Light
Emitting Diode）による光源と、
前記ＬＥＤによる光源から出た光を透過させる光透過部材と、
前記ＬＥＤによる光源から出た光を通過させる任意の模様の彫刻が施された装飾部材と、を有し、
前記ＬＥＤによる光源の周囲に前記光透過部材と前記装飾部材とを配置すると共に、該光透過部材を透過し、かつ、該装飾部材を通過した前記ＬＥＤによる光源から出た光を発することを特徴とする装飾器具。
【請求項２】
門柱表面に設置されることを特徴とする請求項１に記載の装飾器具。
【請求項３】
前記任意の模様の一部が、住宅居住者の名を記した標札であることを特徴とする請求項２に記載の装飾器具。
【請求項４】
地表面に埋設されることを特徴とする請求項１に記載の装飾器具。
【請求項５】
建物外周部分にある壁表面に設置されることを特徴とする請求項１に記載の装飾器具。
【考案の詳細な説明】
【技術分野】
【０００１】
ＬＥＤ（Light
Emitting Diode）光源を使用した装飾器具の技術に関する。
【背景技術】
【０００２】
住宅の玄関先に配置する門柱、住宅を囲む壁、地面などに埋め込まれた装飾器具は、デザイン性の高い、より人目を引くものが好まれる場合がある。そういうニーズに応えるために、所定の光源を利用し発光する装飾器具が存在する。
【０００３】
一方近年、長寿命、低消費電力の特長を有するＬＥＤ（Light Emitting Diode）を使用した照明器具が盛んに開発されているという状況がある。
【考案の概要】
【考案が解決しようとする課題】
【０００４】
そこで、本考案では、ＬＥＤを光源に用いることで、デザイン性が高く人目を引くと共に、低いランニングコストで環境問題の解決にも貢献する装飾器具を提供することを目的とする。
【課題を解決するための手段】
【０００５】
開示する装飾器具の一形態は、ＬＥＤ（Light Emitting Diode）による光源と、前記ＬＥＤによる光源から出た光を透過させる光透過部材と、前記ＬＥＤによる光源から出た光を通過させる任意の模様の彫刻が施された装飾部材と、を有し、前記ＬＥＤによる光源の周囲に前記光透過部材と前記装飾部材とを配置すると共に、該光透過部材を透過し、かつ、該装飾部材を通過した前記ＬＥＤによる光源から出た光を発することを特徴とする。
また、開示する装飾器具の一形態は、門柱表面に設置されても良い。
また、開示する装飾器具の一形態は、前記任意の模様の一部が、住宅居住者の名を記した標札であっても良い。
また、開示する装飾器具の一形態は、地表面に埋設されても良い。
また、開示する装飾器具の一形態は、建物外周部分にある壁表面に設置されても良い。
【考案の効果】
【０００６】
開示する装飾器具は、ＬＥＤを光源に用いることで、デザイン性が高く人目を引くと共に、低いランニングコストで環境問題の解決にも貢献することができる。
【図面の簡単な説明】
【０００７】
【図１】本実施の形態に係る装飾器具の構造を説明するための図である。
【図２】本実施の形態に係る装飾器具の適用例（その１）を示した図である。
【図３】本実施の形態に係る装飾器具の適用例（その２）を示した図である。
【図４】本実施の形態に係る装飾器具の適用例（その３）を示した図である。
【考案を実施するための形態】
【０００８】
図面を参照しながら、本考案を実施するための形態について説明する。
（本実施の形態に係る装飾器具の構造）
図１を用いて、本実施の形態に係る装飾器具１００の構造について説明する。図１は、装飾器具１００の構造を説明するために、装飾器具１００の内部構造を単純化して示した図である。
【０００９】
図１で示すように、装飾器具１００は、ＬＥＤ光源１１０、光透過部材１２０、装飾部材１３０を有する。ＬＥＤ光源１１０は、ＬＥＤ（Light Emitting Diode）を使用した照明装置である。ＬＥＤ光源１１０は、単色を発光する形態であっても良く、複数の異なる色を交互に発光する形態であっても良い。また、ＬＥＤ光源１１０が発光する色は特に限定されない。
なお、図示していないが、ＬＥＤ光源１１０は、電源に接続され、当該電源から供給される電力に基づき発光する。
【００１０】
装飾器具１００は、他の発光原理に基づく光源に比べ、長寿命・低消費電力であるＬＥＤ光源１１０を使用するため、低いランニングコストで環境問題の解決にも貢献することができる。
【００１１】
光透過部材１２０は、ＬＥＤ光源１１０が発する光を透過させる性質（機能）を備える部材である。例えば、光透過部材１２０は、アクリル樹脂のような樹脂製の部材であっても良く、ガラス製の部材であっても良い。また、光透過部材１２０の形状は、板状であっても良く、特定の形に成形されていても良い。また、光透過部材１２０は、特定の色に着色されていても良い。
【００１２】
装飾部材１３０は、任意の模様が彫刻された部材であって、その任意の模様の隙間からＬＥＤ光源１１０が発する光を通過させる性質（機能）を備える部材である。図１で示すように、例えば、装飾部材１３０は、格子状の模様が彫刻された部材であり、当該格子状の模様の隙間から、ＬＥＤ光源１１０が発する光を通過させる。ここで、任意の模様とは、人が書いた文字や絵を含み、例えば、子供が描いた絵であっても良い。また、装飾部材１３０は、金属性であっても樹脂製であっても良く、その材質は特に限定されない。
【００１３】
図１では、装飾器具１００の構造について、ＬＥＤ光源１１０、光透過部材１２０、装飾部材１３０の順に配置されているが、ＬＥＤ光源１１０、装飾部材１３０、光透過部材１２０の順で配置される形態であっても良い。つまり、光透過部材１２０を透過し、かつ、装飾部材１３０が備える模様の隙間を通過したＬＥＤ光源１００の発する光が、装飾器具１００の外部に発光される形態であれば良い。
（本実施の形態に係る装飾器具の使用方法）
【００１４】
図２乃至図４を用いて、本実施の形態に係る装飾器具１００の使用方法について説明する。図２は、装飾器具１００を住宅入口などに設置される門柱１４０に適用した例を示す図であり、図３は、装飾器具１００を地面１５０に配した例を示す図であり、図４は、住宅を囲む壁１６０に配した例を示す図である。
【００１５】
図２で示すように、装飾器具１００は、門柱１４０の上段及び中段に設置して使用される。ここで、装飾部材１３０が備える模様（の一部）は、門柱１４０上段に配置されるような住宅居住者の名を記した標札「岩本／ＩＷＡＭＯＴＯ」であり、また、門柱１４０中段に配置されるような模様である。そして、夜間、ＬＥＤ光源１１０が点灯されると、装飾器具１００は、上段に配置される標札「岩本／ＩＷＡＭＯＴＯ」及び中段に配置されるような模様の隙間から光を発し、これら標札及び模様を浮かび上がらせる。
【００１６】
図３で示すように、装飾器具１００は、地面１５０に埋設して使用されても良い。その場合、夜間、ＬＥＤ光源１１０が点灯されると、装飾器具１００は、地面１５０に配置された装飾部材１３０の模様の隙間から光を発し、当該模様を浮かび上がらせる。
【００１７】
図４で示すように、装飾器具１００は、住宅を囲む壁１６０に設置して使用されても良い。その場合、夜間、ＬＥＤ光源１１０が点灯されると、装飾器具１００は、壁１６０に配置された装飾部材１３０の模様の隙間から光を発し、当該模様を浮かび上がらせる。
【００１８】
その他、装飾器具１００は、看板や、公園・展示場などの屋内外施設における置物のデザイン性を向上させるために、それら看板・置物の一部として配置させることも可能である。
【００１９】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００２０】
１００  装飾器具
１１０  ＬＥＤ光源
１２０  光透過部材
１３０  装飾部材
１４０  門柱
１５０  地面
１６０  建物外周部分にある壁（塀）
【図１】
0003172533.tif 000003
【図２】
0003172533.tif 000004
【図３】
0003172533.tif 000005
【図４】
0003172533.tif 000006